(57)【要約】【課題】商品の補充に要する時間の短縮化を図ることができる自動販売機の商品収納ラックを提供すること。【解決手段】商品Ｓを収納するための自動販売機の商品収納ラック１０において、複数の商品Ｓを一方向に沿って整列させた状態で収納した商品収納箱１１と、商品Ｓを一つずつ搬出するためのベンド機構１２ａを有したベース１２と、商品収納箱１１に収納された複数の商品Ｓの整列方向に沿って商品通路が形成される態様で、ベース１２に商品収納箱１１を着脱可能に取り付ける取付手段１３とを備えたものである。【選択図】      図７
2005038335.tif 000002
【特許請求の範囲】
【請求項１】
商品を収納するための自動販売機の商品収納ラックにおいて、
複数の商品を一方向に沿って整列させた状態で収納した商品収納箱と、
商品を一つずつ搬出するためのベンド機構を有したベースと、
前記商品収納箱に収納された複数の商品の整列方向に沿って商品通路が形成される態様で、前記ベースに前記商品収納箱を着脱可能に取り付ける取付手段と
を備えたことを特徴とする自動販売機の商品収納ラック。
【請求項２】
前記取付手段は、
前記商品収納箱に形成された係止孔と、
前記ベースに配設された係止片と
を備え、
前記係止片が前記係止孔に挿通して係合することにより、前記ベースに前記商品収納箱を着脱可能に取り付けるものであることを特徴とする請求項１に記載の自動販売機の商品収納ラック。
【請求項３】
前記取付手段は、
前記商品収納箱および前記ベースのいずれか一方に配設され、強磁性体からなる第１取付部と、
それらの他方に配設され、永久磁石からなる第２取付部と
を備え、
前記第１取付部と前記第２取付部との間に作用する磁気吸引力により、前記ベースに前記商品収納箱を取り付けるものであることを特徴とする請求項１に記載の自動販売機の商品収納ラック。
【請求項４】
前記商品収納箱および前記ベースのいずれか一方は、強磁性体から形成されたものであることを特徴とする請求項３に記載の自動販売機の商品収納ラック。
【請求項５】
前記取付手段は、
前記ベースの前記商品収納箱を取り付けるための取付面に対向する前面を有し、かつ前記ベースとの間に商品収納箱が通過するための商品収納箱通路を形成する支持部材と、
前記商品収納箱通路に対して進退移動する態様で前記支持部材に配設され、前記ベースに向かって付勢力を作用させる付勢手段と
を備え、
前記付勢手段が、前記商品収納箱通路を通過する前記商品収納箱を前記ベースに向かって付勢することにより、前記ベースに前記商品収納箱を取り付けるものであることを特徴とする請求項１に記載の自動販売機の商品収納ラック。
【請求項６】
前記取付手段は、
前記ベースの前記商品収納箱を取り付けるための取付面と直交する方向に沿って前面が形成された第１側板状部材と、
前記第１側板状部材の前面に対向する前面を有し、かつ前記第１側板状部材との間に前記商品収納箱が通過するための商品収納箱通路を形成する第２側板状部材と、
前記商品収納箱通路に対して進退移動する態様で前記第２側板状部材に配設され、前記第１側板状部材に向かって付勢力を作用させる付勢手段と
を備え、
前記付勢手段が、前記ベースの取付面に沿って前記商品収納箱通路を通過する前記商品収納箱を前記第１側板状部材に向かって付勢することにより、前記ベースに前記商品収納箱を取り付けるものであることを特徴とする請求項１に記載の自動販売機の商品収納ラック。
【請求項７】
前記付勢手段は、弾性体から形成されたものであることを特徴とする請求項５または請求項６に記載の自動販売機の商品収納ラック。
【請求項８】
前記取付手段は、
前記ベースの前記商品収納箱を取り付けるための取付面に対向する前面を有し、かつ前記ベースとの間に商品収納箱が通過するための商品収納箱通路を形成する支持部材と、
前記支持部材の前面に配設され、前記ベースの取付面に沿って前記商品収納箱通路を通過する前記商品収納箱と前記支持部材の前面との間隙を埋めるためのスペーサであるアタッチメント部材と
を備えたものであることを特徴とする請求項１に記載の自動販売機の商品収納ラック。
【請求項９】
前記取付手段は、
前記ベースの前記商品収納箱を取り付けるための取付面と直交する方向に沿って前面が形成された第１側板状部材と、
前記第１側板状部材の前面に対向する前面を有し、かつ前記第１側板状部材との間に前記商品収納箱が通過するための商品収納箱通路を形成する第２側板状部材と、
前記第２側板状部材の前面に配設され、前記ベースの取付面および前記第１側板状部材の前面に沿って前記商品収納箱通路を通過する前記商品収納箱と前記第２側板状部材の前面との間隙を埋めるためのスペーサであるアタッチメント部材と
を備えたものであることを特徴とする請求項１に記載の自動販売機の商品収納ラック。
【請求項１０】
前記取付手段は、
前記ベースの前記商品収納箱を取り付けるための取付面に対向する前面を有し、かつ前記ベースとの間に商品収納箱が通過するための商品収納箱通路を形成する支持部材と、
前記ベースの取付面と直交する方向に沿って前面が形成された第１側板状部材と、
前記第１側板状部材の前面に対向する前面を有し、かつ前記第１側板状部材との間に前記商品収納箱通路を形成する第２側板状部材と、
前記支持部材および前記第２側板状部材の前面に配設され、前記ベースの取付面および前記第１側板状部材の前面に沿って前記商品収納箱通路を通過する前記商品収納箱と、前記支持部材の前面および前記第２側板状部材の前面との間隙を埋めるためのスペーサであるアタッチメント部材と
を備えたものであることを特徴とする請求項１に記載の自動販売機の商品収納ラック。
【発明の詳細な説明】
【技術分野】
【０００１】
本発明は、例えば缶入り飲料、瓶入り飲料、紙パック入り飲料およびペットボトル入り飲料等の各種商品を収納して販売する自動販売機の商品収納ラックに関する。
【背景技術】
【０００２】
従来、例えば缶入り飲料、瓶入り飲料、紙パック入り飲料およびペットボトル入り飲料等の各種商品を収納するための自動販売機の商品収納ラックの一例として、直積式の商品収納ラックが知られている。
【０００３】
このような直積式の商品収納ラックは、一側面および底面が開放した箱型のラックケース（ラック本体）の内部に板状の仕切部を設けて２つの商品収納コラムを画成し、仕切部にはその下部にベンド機構が配設された構成となっている。そして、各種商品を商品収納コラム内に積み上げて収納し、ベンド機構を制御して各種商品を個々に搬出する（例えば、特許文献１参照）。
【０００４】
【特許文献１】特開２００２−１８３８２２号公報
【発明の開示】
【発明が解決しようとする課題】
【０００５】
ところが、上記商品収納ラックでは、各種商品を補充する際に、各種商品を個別に商品収納コラム内に積み上げて収納していたために、かかる商品を補充するのに要する時間が長くなってしまうという問題があった。
【０００６】
本発明は、上記実情に鑑みて、商品の補充に要する時間の短縮化を図ることができる自動販売機の商品収納ラックを提供することを目的とする。
【課題を解決するための手段】
【０００７】
上記の目的を達成するために、本発明の請求項１に係る自動販売機の商品収納ラックは、商品を収納するための自動販売機の商品収納ラックにおいて、複数の商品を一方向に沿って整列させた状態で収納した商品収納箱と、商品を一つずつ搬出するためのベンド機構を有したベースと、前記商品収納箱に収納された複数の商品の整列方向に沿って商品通路が形成される態様で、前記ベースに前記商品収納箱を着脱可能に取り付ける取付手段とを備えたことを特徴とする。
【０００８】
また、本発明の請求項２に係る自動販売機の商品収納ラックは、上記請求項１において、前記取付手段は、前記商品収納箱に形成された係止孔と、前記ベースに配設された係止片とを備え、前記係止片が前記係止孔に挿通して係合することにより、前記ベースに前記商品収納箱を着脱可能に取り付けるものであることを特徴とする。
【０００９】
また、本発明の請求項３に係る自動販売機の商品収納ラックは、上記請求項１において、前記取付手段は、前記商品収納箱および前記ベースのいずれか一方に配設され、強磁性体からなる第１取付部と、それらの他方に配設され、永久磁石からなる第２取付部とを備え、前記第１取付部と前記第２取付部との間に作用する磁気吸引力により、前記ベースに前記商品収納箱を取り付けるものであることを特徴とする。
【００１０】
また、本発明の請求項４に係る自動販売機の商品収納ラックは、上記請求項３において、前記商品収納箱および前記ベースのいずれか一方は、強磁性体から形成されたものであることを特徴とする。
【００１１】
また、本発明の請求項５に係る自動販売機の商品収納ラックは、上記請求項１において、前記取付手段は、前記ベースの前記商品収納箱を取り付けるための取付面に対向する前面を有し、かつ前記ベースとの間に商品収納箱が通過するための商品収納箱通路を形成する支持部材と、前記商品収納箱通路に対して進退移動する態様で前記支持部材に配設され、前記ベースに向かって付勢力を作用させる付勢手段とを備え、前記付勢手段が、前記商品収納箱通路を通過する前記商品収納箱を前記ベースに向かって付勢することにより、前記ベースに前記商品収納箱を取り付けるものであることを特徴とする。
【００１２】
また、本発明の請求項６に係る自動販売機の商品収納ラックは、上記請求項１において、前記取付手段は、前記ベースの前記商品収納箱を取り付けるための取付面と直交する方向に沿って前面が形成された第１側板状部材と、前記第１側板状部材の前面に対向する前面を有し、かつ前記第１側板状部材との間に前記商品収納箱が通過するための商品収納箱通路を形成する第２側板状部材と、前記商品収納箱通路に対して進退移動する態様で前記第２側板状部材に配設され、前記第１側板状部材に向かって付勢力を作用させる付勢手段とを備え、前記付勢手段が、前記ベースの取付面に沿って前記商品収納箱通路を通過する前記商品収納箱を前記第１側板状部材に向かって付勢することにより、前記ベースに前記商品収納箱を取り付けるものであることを特徴とする。
【００１３】
また、本発明の請求項７に係る自動販売機の商品収納ラックは、上記請求項５または上記請求項６において、前記付勢手段は、弾性体から形成されたものであることを特徴とする。
【００１４】
また、本発明の請求項８に係る自動販売機の商品収納ラックは、上記請求項１において、前記取付手段は、前記ベースの前記商品収納箱を取り付けるための取付面に対向する前面を有し、かつ前記ベースとの間に商品収納箱が通過するための商品収納箱通路を形成する支持部材と、前記支持部材の前面に配設され、前記ベースの取付面に沿って前記商品収納箱通路を通過する前記商品収納箱と前記支持部材の前面との間隙を埋めるためのスペーサであるアタッチメント部材とを備えたものであることを特徴とする。
【００１５】
また、本発明の請求項９に係る自動販売機の商品収納ラックは、上記請求項１において、前記取付手段は、前記ベースの前記商品収納箱を取り付けるための取付面と直交する方向に沿って前面が形成された第１側板状部材と、前記第１側板状部材の前面に対向する前面を有し、かつ前記第１側板状部材との間に前記商品収納箱が通過するための商品収納箱通路を形成する第２側板状部材と、前記第２側板状部材の前面に配設され、前記ベースの取付面および前記第１側板状部材の前面に沿って前記商品収納箱通路を通過する前記商品収納箱と前記第２側板状部材の前面との間隙を埋めるためのスペーサであるアタッチメント部材とを備えたものであることを特徴とする。
【００１６】
また、本発明の請求項１０に係る自動販売機の商品収納ラックは、上記請求項１において、前記取付手段は、前記ベースの前記商品収納箱を取り付けるための取付面に対向する前面を有し、かつ前記ベースとの間に商品収納箱が通過するための商品収納箱通路を形成する支持部材と、前記ベースの取付面と直交する方向に沿って前面が形成された第１側板状部材と、前記第１側板状部材の前面に対向する前面を有し、かつ前記第１側板状部材との間に前記商品収納箱通路を形成する第２側板状部材と、前記支持部材および前記第２側板状部材の前面に配設され、前記ベースの取付面および前記第１側板状部材の前面に沿って前記商品収納箱通路を通過する前記商品収納箱と、前記支持部材の前面および前記第２側板状部材の前面との間隙を埋めるためのスペーサであるアタッチメント部材とを備えたものであることを特徴とする。
【発明の効果】
【００１７】
本発明の請求項１に係る自動販売機の商品収納ラックは、取付手段を介して、ベースに、複数の商品が一方向に沿って整列させた状態で収納した商品収納箱を着脱可能に取り付けたものであるため、商品を補充する場合には、使用済の商品収納箱をベースから取り外して、新たな商品収納箱をベースに取り付けることにより複数の商品を一度に補充することができる。従って、商品の補充に要する時間の短縮化を図ることができるという効果を奏する。
【００１８】
また、本発明の請求項２に係る自動販売機の商品収納ラックによれば、上記効果に加えて次のような効果を奏することができる。すなわち、取付手段は、ベースに配設された係止片が商品収納箱に形成された係止孔に挿通して係合することにより、ベースに商品収納箱を着脱可能に取り付けるものであるため、商品収納箱の取付位置を容易に決めることができるとともに、複数の商品収納箱を係止片の配設位置にしたがって上下方向に重なった状態で容易に配列させることができる。また、商品収納箱を個別にベースに取り付けるので、商品収納箱を上下方向に重ねた状態に取り付けた場合に、最下部にある商品収納箱にそれよりも上方側にある商品収納箱等の重量がかかることがない。従って、例えば紙製の商品収納箱が破損する虞れがなく、そのため、商品収納箱は、必要以上に剛性を確保する必要がない。つまり、商品収納箱は、安価な材料でも形成することができ、該商品収納箱に要するコストの低減化を図ることができる。
【００１９】
また、本発明の請求項３および請求項４に記載の発明によれば、第１取付部と第２取付部との間に作用する磁気吸引力により、ベースに商品収納箱を着脱可能に取り付けるものであるため、商品収納箱の取付位置を容易に決めることができるとともに、複数の商品収納箱を上下方向に重なった状態で容易に配列させることができる。また、商品収納箱を個別にベースに取り付けるので、商品収納箱を上下方向に重ねた状態に取り付けた場合に、最下部にある商品収納箱にそれよりも上方側にある商品収納箱等の重量がかかることがない。従って、例えば紙製の商品収納箱が破損する虞れがなく、そのため、商品収納箱は、必要以上に剛性を確保する必要がない。つまり、商品収納箱は、安価な材料でも形成することができ、該商品収納箱に要するコストの低減化を図ることができる。
【００２０】
また、本発明の請求項５〜７に記載の発明によれば、付勢手段が商品収納箱通路を通過する商品収納箱をベースに向かって付勢することにより、ベースに商品収納箱を着脱可能に取り付けるものであるため、商品収納箱の取付位置を容易に決めることができるとともに、複数の商品収納箱を上下方向に重なった状態で容易に配列させることができる。また、商品収納箱を個別にベースに取り付けるので、商品収納箱を上下方向に重ねた状態に取り付けた場合に、最下部にある商品収納箱にそれよりも上方側にある商品収納箱等の重量がかかることがない。従って、例えば紙製の商品収納箱が破損する虞れがなく、そのため、商品収納箱は、必要以上に剛性を確保する必要がない。つまり、商品収納箱は、安価な材料でも形成することができ、該商品収納箱に要するコストの低減化を図ることができる。
【００２１】
また、本発明の請求項８〜１０に記載の発明によれば、アタッチメント部材がスペーサとして機能して、商品収納箱通路を通過する商品収納箱をベースに向かって押圧することにより、ベースに商品収納箱を取り付けるものであるため、商品収納箱の取付位置を容易に決めることができるとともに、複数の商品収納箱を上下方向に重なった状態で容易に配列させることができる。また、商品収納箱を個別にベースに取り付けるので、商品収納箱を上下方向に重ねた状態に取り付けた場合に、最下部にある商品収納箱にそれよりも上方側にある商品収納箱等の重量がかかることがない。従って、例えば紙製の商品収納箱が破損する虞れがなく、そのため、商品収納箱は、必要以上に剛性を確保する必要がない。つまり、商品収納箱は、安価な材料でも形成することができ、該商品収納箱に要するコストの低減化を図ることができる。
【発明を実施するための最良の形態】
【００２２】
以下に添付図面を参照して、本発明に係る自動販売機の商品収納ラックの好適な実施例を詳細に説明する。尚、この実施例によりこの発明が限定されるものではない。
【実施例１】
【００２３】
図１は、本発明の実施例１に係る自動販売機の商品収納ラックを自動販売機に適用した状態を示した正面図であり、図２は、図１における自動販売機の側断面図である。これら図１および図２において、自動販売機は、本体キャビネット１と外扉２とを備えて構成してある。
【００２４】
本体キャビネット１は、正面が開口した直方状の形態を有し、複数の鋼板を適宜組み合わせることによって形成したものである。外扉２は、本体キャビネット１の正面開口部を覆うに十分な大きさを有したもので、鋼材により堅牢に形成してある。外扉２は、本体キャビネット１の開口部を開閉可能にする態様で該本体キャビネット１の開口部の一側に支承してある。また、図には明示しないが、外扉２の表面側には、商品見本を展示する展示室と、展示した商品を選択する選択ボタンと、硬貨を投入する硬貨投入口と、紙幣を投入する紙幣投入口と、商品を取り出すための商品取出口と、硬貨を返却する硬貨返却口とが配設してある。さらに、外扉２の裏面側には、自動販売機を制御する制御基板と、硬貨投入口から硬貨を受け入れて釣銭を硬貨返却口に放出する硬貨処理装置と、紙幣投入口から紙幣を受け入れる紙幣処理装置とが配設してある。
【００２５】
上記本体キャビネット１の内部には、商品収容庫１ａが設けてある。商品収容庫１ａは、例えば缶入り飲料、瓶入り飲料、紙パック入り飲料およびペットボトル入り飲料等の各種商品Ｓを所望の温度に維持した状態で収容するために断熱構造を有している。この商品収容庫１ａは、本体キャビネット１と同様に正面側を開口してある。また、図には明示しないが、商品収容庫１ａの正面開口部の一側には、上記外扉２とは別体にした内扉が設けてある。内扉は、商品収容庫１ａの正面開口部を覆うに十分な大きさであり断熱構造を有している。この内扉は、商品収容庫１ａの正面開口部を開閉可能にする態様で該商品収容庫１ａの開口部の一側に支承してある。尚、本実施例では、商品収容庫１ａを本体キャビネット１の内部に一つ設けた例を示しているが、該商品収容庫１ａを本体キャビネット１の内部に複数設けてもよい。商品収容庫１ａが本体キャビネット１の内部に複数（少なくとも二つ）設けてある場合には、その内部に収容した商品Ｓを冷蔵あるいは温蔵など異なる温度でそれぞれ収容できる。
【００２６】
商品収容庫１ａの内部には、商品収納ラック１０が設けてある。商品収納ラック１０は、複数の商品収納箱１１と、ベース１２と、取付手段１３とを備えて構成してあり、商品収容庫１ａの天井に引出手段７を介して支持されている。
【００２７】
引出手段７は、図３に示したように、固定レール７ａと、中間レール７ｂと、支持レール７ｃとで構成してある。固定レール７ａ、中間レール７ｂおよび支持レール７ｃは、それぞれ長手状に形成してある。固定レール７ａは、商品収容庫１ａの奥行き方向に沿って固定してあり、中間レール７ｂを長手方向に摺動可能に支持している。中間レール７ｂは、支持レール７ｃを長手方向に摺動可能に支持している。支持レール７ｃは、一の商品収納ラック１０を構成する各ベース１２の上端部分を支持している。つまり、図３に示したように、固定レール７ａに沿って中間レール７ｂが摺動し、かつ該中間レール７ｂに沿って支持レール７ｃが摺動することにより、商品収納ラック１０が商品収容庫１ａの正面開口部であって本体キャビネット１の正面開口部から外部に引き出されることになる。
【００２８】
図４〜図６は、それぞれ図１における商品収納箱を示したものであり、図４は平面図、図５は正面断面図であり、図６は側面図である。これら図４〜図６において、商品収納箱１１は、例えば紙から形成されたものであり、上面および下面が開口した矩形筒状の形態を成している。また、商品収納箱１１の内部は、各種大きさの商品Ｓを上下方向に沿って整列させた状態で収納できる筒内形状を有している。このような商品収納箱１１は、商品Ｓの大きさに対応して様々な大きさのものがある。
【００２９】
商品収納箱１１には、予め複数の商品を上下方向に沿って整列させた状態で収納してある。商品Ｓの収納に際して、商品収納箱１１の両側部の上下位置には、収納した全商品Ｓの上下寸法よりも若干大きい間隔をおいてスリット状の通し孔１１ａが形成してある。この各通し孔１１ａには、帯体１１ｂが挿通してある。帯体１１ｂは、図５に示したように、商品収納箱１１の外側からすべての通し孔１１ａに順次挿通して該商品収納箱１１の上下の開口を覆う態様で両端を固定している。帯体１１ｂの両端の固定は、商品収納箱１１の外側で両端を互いに継ぐことが好ましい。これにより、商品収納箱１１の上下開口部から入れた商品Ｓが、帯体１１ｂによって上下開口から出ないように保持されて、商品収納箱１１の内部に収納される。
【００３０】
ベース１２は、上下方向に長手状であって本実施例では板状体を成している。このベース１２は、その板面を商品収容庫１ａの正面側および背面側に向ける形態で、その上端部分が商品収容庫１ａの天井に引出手段７を介して支持されており、商品収容庫１ａの正面開口部から背面側に向けた奥行き方向に同じものが複数並設してある。
【００３１】
各ベース１２の正面（取付面）側には、上下方向に沿って複数の商品収納箱１１が取付手段１３を介して取り付けてある。この取付手段１３の詳細については後述する。一方、各ベース１２の正面側の下部には、ベンド機構１２ａが設けてある。ベンド機構１２ａは、商品収納箱１１に収納された最下位置の商品Ｓを下側から支え、商品Ｓの搬出指令に応じて該最下位置の商品Ｓを搬出する。この際、ベンド機構１２ａは、最下位置の商品Ｓの直上の商品Ｓが共に搬出されないように支持する。このように、ベンド機構１２ａは、商品収納箱１１に収納された商品Ｓを下側から１つずつ切り出して搬出する。搬出された商品Ｓは、商品収容庫１ａの下側にあるシュータ１ｂを介して外扉２の商品取出口に至る。
【００３２】
図７は、本発明の実施例１に係る商品収納ラックを構成する取付手段およびこの取付手段により商品収納箱をベースに取り付ける手順を示した側断面図である。取付手段１３は、図７（ａ）に示したように、商品収納箱１１の背面側に形成された係止孔１３ａと、ベース１２の正面側に配設された上向きフック状の係止片１３ｂとを備えて構成してある。ここに、係止片１３ｂは、商品収納箱１１の大きさを考慮して決められた間隔毎に上下方向に沿って配設されている。次に取付手順について説明する。
【００３３】
引出手段７を通じてベース１２を商品収容庫１ａの外部に引き出した状態（図７（ａ）に示した状態）から、図７（ｂ）に示したように、商品収納箱１１の係止孔１３ａにベース１２の係止片１３ｂを挿通して係合させることにより、該ベース１２に商品収納箱１１を取り付ける。ここに、商品収納箱１１は、その係止孔１３ａと係止片１３ｂとの係合状態を解除することにより、ベース１２から容易に取り外すことができる。従って、取付手段１３は、ベース１２に商品収納箱１１を着脱可能に取り付けるものである。
【００３４】
そして、図７（ｃ）に示したように、取付手段１３を介して他の商品収納箱１１をベース１２に取り付けることにより、複数の商品収納箱１１が上下方向に沿って重なった状態になる。このとき、下側に位置する商品収納箱１１の上部開口と、上側に位置する他の商品収納箱１１の下部開口とが互いに向き合う態様になる。その後、図７（ｄ）に示したように、上下に重ねた状態の複数の商品収納箱１１の筒内を連通して、それぞれの商品収納箱１１に収納してあるすべての商品Ｓを連ね、ベンド機構１２ａにより最下位置にある商品Ｓを支持する。これにより、上下に重ねた複数の商品収納箱１１の筒内が商品Ｓの商品通路となる。
【００３５】
図８は、複数の商品収納箱の連通手順を示す正面断面図である。この図８を用いて、ベース１２の正面側に上下方向に重ねた状態で取り付けた商品収納箱１１を連通させることについて説明する。帯体１１ｂの両端を継いだ状態（図８（ａ）に示した状態）から、図８（ｂ）に示したように、帯体１１ｂの両端を自由にし、その後、図８（ｃ）に示したように、該帯体１１ｂを通し孔１１ａから引き抜く。これにより、互いの商品収納箱１１の筒内が連通し、商品収納箱１１に収納してある商品Ｓが筒内を落下して、上下一連になる。
【００３６】
以上説明したように、本発明の実施例１に係る商品収納ラック１０は、取付手段１３を介して、ベース１２に、予め複数の商品Ｓが上下方向に沿って整列させた状態で収納した商品収納箱１１を取り付けたものであるため、商品Ｓを補充する場合には、使用済の商品収納箱１１をベース１２から取り外して、新たな商品収納箱１１をベース１２に取り付けることにより複数の商品Ｓを一度に補充することができる。従って、商品Ｓの補充に要する時間の短縮化を図ることができる。
【００３７】
上記商品収納ラック１０によれば、取付手段１３が、商品収納箱１１に形成された係止孔１３ａと、ベース１２の正面側に配設された係止片１３ｂとを備え、両者が係合することによりベース１２に商品収納箱１１を取り付けるものであるため、商品収納箱１１の取付位置を容易に決めることができるとともに、複数の商品収納箱１１を係止片１３ｂの配設位置にしたがって上下方向に重なった状態で容易に配列させることができる。また、商品収納箱１１を個別にベース１２に取り付けるので、商品収納箱１１を上下方向に重ねた状態に取り付けた場合に、最下部にある商品収納箱１１にそれよりも上方側にある商品収納箱１１等の重量がかかることがない。従って、例えば紙製の商品収納箱１１が破損する虞れがなく、そのため、商品収納箱１１は、必要以上に剛性を確保する必要がない。つまり、商品収納箱１１は、安価な材料でも形成することができ、該商品収納箱１１に要するコストの低減化を図ることができる。
【実施例２】
【００３８】
図９は、本発明の実施例２に係る商品収納ラックを構成する取付手段およびこの取付手段により商品収納箱をベースに取り付ける手順を示した側断面図である。尚、上述した実施例１と同一の構成を有するものには同一の符号を付してその説明を省略する。
【００３９】
図９において、取付手段２３は、図９（ａ）に示したように、商品収納箱１１の背面側に配設された第１取付部２３ａと、ベース１２の正面側に配設された第２取付部２３ｂとを備えて構成してある。第１取付部２３ａは、例えば鉄、ニッケル、コバルト等の強磁性体から形成されたものである。第２取付部２３ｂは、永久磁石から形成されたものである。ここに、第２取付部２３ｂは、商品収納箱１１の大きさを考慮して決められた間隔毎に上下方向に沿って配設されている。次に取付手順について説明する。
【００４０】
引出手段７を通じてベース１２を商品収容庫１ａの外部に引き出した状態（図９（ａ）に示した状態）から、図９（ｂ）に示したように、第１取付部２３ａと第２取付部２３ｂとの間で作用する磁気吸引力により、ベース１２に商品収納箱１１を取り付ける。更に、取付手段２３を介して他の商品収納箱１１をベース１２に取り付けることにより、複数の商品収納箱１１が上下方向に沿って重なった状態になる。このとき、下側に位置する商品収納箱１１の上部開口と、上側に位置する他の商品収納箱１１の下部開口とが互いに向き合う態様になる。そして、図９（ｃ）に示したように、上下に重ねた状態の複数の商品収納箱１１の筒内を連通して、それぞれの商品収納箱１１に収納してあるすべての商品Ｓを連ね、ベンド機構１２ａにより最下位置にある商品Ｓを支持する。これにより、上下に重ねた複数の商品収納箱１１の筒内が商品Ｓの商品通路となる。
【００４１】
以上のように本発明の実施例２に係る商品収納ラックによれば、取付手段２３が、商品収納箱１１に配設された第１取付部２３ａと、ベース１２の正面側に配設された第２取付部２３ｂとを備え、両者の間に作用する磁気吸引力により、ベース１２に商品収納箱１１を取り付けるものであるため、商品収納箱１１の取付位置を容易に決めることができるとともに、複数の商品収納箱１１を第２取付部２３ｂの配設位置にしたがって上下方向に重なった状態で容易に配列させることができる。また、商品収納箱１１を個別にベース１２に取り付けるので、商品収納箱１１を上下方向に重ねた状態に取り付けた場合に、最下部にある商品収納箱１１にそれよりも上方側にある商品収納箱１１等の重量がかかることがない。従って、例えば紙製の商品収納箱１１が破損する虞れがなく、そのため、商品収納箱１１は、必要以上に剛性を確保する必要がない。つまり、商品収納箱１１は、安価な材料でも形成することができ、該商品収納箱１１に要するコストの低減化を図ることができる。
【００４２】
以上、本発明の実施例２に係る商品収納ラックについて説明したが、これに限定されずに種々の変更を行うことができる。例えば、商品収納箱１１に永久磁石からなる第２取付部を配設し、ベース１２に強磁性体からなる第１取付部を配設してもよい。また、商品収納箱およびベースのいずれか一方を強磁性体から形成してもよい。これらによっても、上記実施例２と同様の作用効果を奏することができる。
【実施例３】
【００４３】
図１０は、本発明の実施例３に係る商品収納ラックを構成する取付手段およびこの取付手段により商品収納箱をベースに取り付ける手順を示した側断面図である。尚、上述した実施例１および実施例２と同一の構成を有するものには同一の符号を付してその説明を省略する。
【００４４】
図１０において、取付手段３３は、図１０（ａ）に示したように、支持部材３３ａと、付勢手段３３ｂとを備えて構成してある。支持部材３３ａは、ベース１２の正面に対向する前面を有し、かつベース１２との間に商品収納箱１１が通過するための商品収納箱通路Ｒを形成するものである。付勢手段３３ｂは、例えば板ばね等であり、商品収納箱通路Ｒに対して進退移動する態様で支持部材３３ａに配設され、ベース１２に向かって付勢力を作用させるものである。次に取付手順について説明する。
【００４５】
引出手段７を通じてベース１２を商品収容庫１ａの外部に引き出した状態（図１０（ａ）に示した状態）から、図１０（ｂ）に示したように、付勢手段３３ｂが、商品収納箱通路Ｒを通過する商品収納箱１１をベース１２に向かって付勢することにより、該ベース１２に商品収納箱１１を取り付ける。更に、取付手段３３を介して他の商品収納箱１１をベース１２に取り付けることにより、複数の商品収納箱１１が上下方向に沿って重なった状態になる。このとき、下側に位置する商品収納箱１１の上部開口と、上側に位置する他の商品収納箱１１の下部開口とが互いに向き合う態様になる。そして、図１０（ｃ）に示したように、上下に重ねた状態の複数の商品収納箱１１の筒内を連通して、それぞれの商品収納箱１１に収納してあるすべての商品Ｓを連ね、ベンド機構１２ａにより最下位置にある商品Ｓを支持する。これにより、上下に重ねた複数の商品収納箱１１の筒内が商品Ｓの商品通路となる。
【００４６】
以上のように本発明の実施例３に係る商品収納ラックによれば、取付手段３３は、その付勢手段３３ｂが、商品収納箱通路Ｒを通過する商品収納箱１１をベース１２に向かって付勢することにより、ベース１２に商品収納箱１１を取り付けるものであるため、商品収納箱１１の取付位置を容易に決めることができるとともに、複数の商品収納箱１１を上下方向に重なった状態で容易に配列させることができる。また、商品収納箱１１を個別にベース１２に取り付けるので、商品収納箱１１を上下方向に重ねた状態に取り付けた場合に、最下部にある商品収納箱１１にそれよりも上方側にある商品収納箱１１等の重量がかかることがない。従って、例えば紙製の商品収納箱１１が破損する虞れがなく、そのため、商品収納箱１１は、必要以上に剛性を確保する必要がない。つまり、商品収納箱１１は、安価な材料でも形成することができ、該商品収納箱１１に要するコストの低減化を図ることができる。
【００４７】
以上、本発明の実施例３に係る商品収納ラックについて説明したが、これに限定されずに種々の変更を行うことができる。例えば、図１１に示したように、支持部材３３ａと、コイルばね３３ｃと、平板３３ｄとから形成され、該コイルばね３３ｃの付勢力によってベース１２に向かって付勢力を作用させる取付手段３３０であってもよい。また、図１２に示したように、図示しないばねを内蔵したリンク機構３３ｅで、該ばねの付勢力によってベース１２に向かって付勢力を作用させる取付手段３３１であってもよい。これら図１１および図１２に示した取付手段３３０，３３１を備えた商品収納ラックによっても、上記実施例３と同様の作用効果を奏することができる。
【００４８】
更に、次のような変更を行うことができる。図１３は、本発明の実施例３の変形例に係る商品収納ラックを構成する取付手段を示した正面断面図である。この図１３において、取付手段３３２は、第１側板３３２ａと、第２側板３３２ｂと、付勢手段３３２ｃとを備えて構成してある。
【００４９】
第１側板３３２ａは、ベース１２の正面と直交する方向に沿って前面が形成された板状部材である。第２側板３３２ｂは、第１側板３３２ａの前面に対向する前面を有し、かつ第１側板３３２ａとの間に商品収納箱１１が通過するための商品収納箱通路Ｒを形成する板状部材である。付勢手段３３２ｃは、例えば板ばね等であり、商品収納箱通路Ｒに対して進退移動する態様で第２側板３３２ｂに配設され、第１側板３３２ａに向かって付勢力を作用させるものである。このような構成によっても、付勢手段３３２ｃが、ベース１２の正面に沿って商品収納箱通路Ｒを通過する商品収納箱１１を第１側板３３２ａに向かって付勢することにより、該ベース１２に商品収納箱１１を取り付けることができ、これにより、上記実施例３と同様の作用効果を奏することができる。
【実施例４】
【００５０】
図１４は、本発明の実施例４に係る商品収納ラックを構成する取付手段およびこの取付手段により商品収納箱をベースに取り付ける手順を示した側断面図である。尚、上述した実施例１〜３と同一の構成を有するものには同一の符号を付してその説明を省略する。
【００５１】
図１４において、取付手段４３は、図１４（ａ）に示したように、支持部材３３ａと、アタッチメント部材４３ａとを備えて構成してある。アタッチメント部材４３ａは、支持部材３３ａの前面に配設され、ベース１２の正面に沿って商品収納箱通路Ｒを通過する商品通過箱１１と、支持部材３３ａの前面との間隙を埋めるためのスペーサである。次に取付手順について説明する。
【００５２】
引出手段７を通じてベース１２を商品収容庫１ａの外部に引き出した状態（図１４（ａ）に示した状態）から、図１４（ｂ）に示したように、アタッチメント部材４３ａがスペーサとして機能して、商品収納箱通路Ｒを通過する商品収納箱１１をベース１２に向かって押圧することにより、該ベース１２に商品収納箱１１を取り付ける。更に、取付手段４３を介して他の商品収納箱１１をベース１２に取り付けることにより、複数の商品収納箱１１が上下方向に沿って重なった状態になる。このとき、下側に位置する商品収納箱１１の上部開口と、上側に位置する他の商品収納箱１１の下部開口とが互いに向き合う態様になる。そして、図１４（ｃ）に示したように、上下に重ねた状態の複数の商品収納箱１１の筒内を連通して、それぞれの商品収納箱１１に収納してあるすべての商品Ｓを連ね、ベンド機構１２ａにより最下位置にある商品Ｓを支持する。これにより、上下に重ねた複数の商品収納箱１１の筒内が商品Ｓの商品通路となる。
【００５３】
以上のように本発明の実施例４に係る商品収納ラックによれば、取付手段４３は、そのアタッチメント部材４３ａがスペーサとして機能して、商品収納箱通路Ｒを通過する商品収納箱１１をベース１２に向かって押圧することにより、ベース１２に商品収納箱１１を取り付けるものであるため、商品収納箱１１の取付位置を容易に決めることができるとともに、複数の商品収納箱１１を上下方向に重なった状態で容易に配列させることができる。また、商品収納箱１１を個別にベース１２に取り付けるので、商品収納箱１１を上下方向に重ねた状態に取り付けた場合に、最下部にある商品収納箱１１にそれよりも上方側にある商品収納箱１１等の重量がかかることがない。従って、例えば紙製の商品収納箱１１が破損する虞れがなく、そのため、商品収納箱１１は、必要以上に剛性を確保する必要がない。つまり、商品収納箱１１は、安価な材料でも形成することができ、該商品収納箱１１に要するコストの低減化を図ることができる。
【００５４】
以上、本発明の実施例４に係る商品収納ラックについて説明したが、これに限定されずに種々の変更を行うことができる。図１５は、本発明の実施例４の変形例に係る商品収納ラックを構成する取付手段を示した正面断面図である。この図１５において、取付手段４３１は、第１側板４３１ａと、第２側板４３１ｂと、アタッチメント部材４３１ｃとを備えて構成してある。
【００５５】
第１側板４３１ａは、ベース１２の正面と直交する方向に沿って前面が形成された板状部材である。第２側板４３１ｂは、第１側板４３１ａの前面に対向する前面を有し、かつ第１側板４３１ａとの間に商品収納箱１１が通過するための商品収納箱通路Ｒを形成する板状部材である。アタッチメント部材４３１ｃは、第２側板４３１ｂの前面に配設され、ベース１２の正面に沿って商品収納箱通路Ｒを通過する商品通過箱１１と、第２側板４３１ｂの前面との間隙を埋めるためのスペーサである。このような構成によっても、アタッチメント部材４３１ｃがスペーサとして機能して、ベース１２の正面に沿って商品収納箱通路Ｒを通過する商品収納箱１１をベース１２に向かって押圧することができ、これにより、上記実施例４と同様の作用効果を奏することができる。
【産業上の利用可能性】
【００５６】
以上のように、本発明に係る自動販売機の商品収納ラックは、商品の補充に関して有用である。
【図面の簡単な説明】
【００５７】
【図１】本発明の実施例１に係る自動販売機の商品収納ラックを自動販売機に適用した状態を示した正面図である。
【図２】図１における自動販売機の側断面図である。
【図３】ベースを商品収容庫から引き出した状態を示す側断面図である。
【図４】図１における商品収納箱を示した平面図である。
【図５】図１における商品収納箱を示した正面断面図である。
【図６】図１における商品収納箱を示した側面図である。
【図７】本発明の実施例１に係る商品収納ラックを構成する取付手段およびこの取付手段により商品収納箱をベースに取り付ける手順を示した側断面図である。
【図８】複数の商品収納箱の連通手順を示す正面断面図である。
【図９】本発明の実施例２に係る商品収納ラックを構成する取付手段およびこの取付手段により商品収納箱をベースに取り付ける手順を示した側断面図である。
【図１０】本発明の実施例３に係る商品収納ラックを構成する取付手段およびこの取付手段により商品収納箱をベースに取り付ける手順を示した側断面図である。
【図１１】本発明の実施例３の変形例に係る商品収納ラックを構成する取付手段およびこの取付手段により商品収納箱をベースに取り付ける手順を示した側断面図である。
【図１２】本発明の実施例３の変形例に係る商品収納ラックを構成する取付手段およびこの取付手段により商品収納箱をベースに取り付ける手順を示した側断面図である。
【図１３】本発明の実施例３の変形例に係る商品収納ラックを構成する取付手段を示した正面断面図である。
【図１４】本発明の実施例４に係る商品収納ラックを構成する取付手段およびこの取付手段により商品収納箱をベースに取り付ける手順を示した側断面図である。
【図１５】本発明の実施例４の変形例に係る商品収納ラックを構成する取付手段を示した正面断面図である。
【符号の説明】
【００５８】
１    本体キャビネット
１ａ    商品収容庫
１ｂ    シュータ
２    外扉
７    引出手段
７ａ    固定レール
７ｂ    中間レール
７ｃ    支持レール
１０    商品収納ラック
１１    商品収納箱
１１ａ    通し孔
１１ｂ    帯体
１２    ベース
１２ａ    ベンド機構
１３    取付手段
１３ａ    係止孔
１３ｂ    係止片
Ｓ    商品
【図１】
2005038335.tif 000003
【図２】
2005038335.tif 000004
【図３】
2005038335.tif 000005
【図４】
2005038335.tif 000006
【図５】
2005038335.tif 000007
【図６】
2005038335.tif 000008
【図７】
2005038335.tif 000009
【図８】
2005038335.tif 000010
【図９】
2005038335.tif 000011
【図１０】
2005038335.tif 000012
【図１１】
2005038335.tif 000013
【図１２】
2005038335.tif 000014
【図１３】
2005038335.tif 000015
【図１４】
2005038335.tif 000016
【図１５】
2005038335.tif 000017